(57)【要約】多用途眼鏡には、２つのレンズを保持するフレームと、フレームから延びるアームとを含む。アームは、アームにほぼ垂直な第１回転軸と、第１回転軸に直交し、アームがフレームに対して下向きに回転可能であるようにする第２回転軸とを含む。
2021520522.tif 000002
【特許請求の範囲】
【請求項１】
２つのレンズを保持するフレームと、
フレームから延びるアームとを含み、
各アームが、各アームに対してほぼ垂直な第１回転軸と、第１回転軸に直交し、各アームがフレームに対して下向きに回転可能であるようにする第２回転軸とを有することを特徴とする多用途眼鏡。
【請求項２】
フレームをアームに結合するヒンジ要素をさらに含むことを特徴とする請求項１に記載の多用途眼鏡。
【請求項３】
ヒンジ要素は、フレームと係合するフレーム係合部分と、アームと係合するアーム係合部分とを含むことを特徴とする請求項２に記載の多用途眼鏡。
【請求項４】
フレームは、フレーム係合部分を受け入れるヒンジ受入スロットを含むことを特徴とする請求項３に記載の多用途眼鏡。
【請求項５】
アームは、アーム係合部分を受け入れるヒンジ受入チャネルを含むことを特徴とする請求項４に記載の多用途眼鏡。
【請求項６】
フレームは、第２回転軸を規定するフレームピボットねじを受け入れるフレームピボットねじ受穴をさらに含み、アームは、第１回転軸を規定するアームピボットねじを受け入れるアームピボットねじ受穴をさらに含むことを特徴とする請求項５に記載の多用途眼鏡。
【請求項７】
フレームピボットねじは、ナット受入チャネル内に延びる雌ねじ付きナットに受け入れられることを特徴とする請求項６に記載の多用途眼鏡。
【請求項８】
ヒンジ要素は、フレームピボットねじを受け入れるフレームピボットねじ受穴を含み、アームピボットねじを受け入れるアームピボットねじ受穴をさらに含むことを特徴とする請求項６に記載の多用途眼鏡。
【請求項９】
ヒンジ要素フレーム係合部分は、歯を含むことを特徴とする請求項３に記載の多用途眼鏡。
【請求項１０】
フレームは、歯係合ピンを付勢するフレーム付勢ばねを受け入れるフレーム付勢ばね受穴をさらに含み、フレーム付勢ばねは、歯係合ピン上の付勢チャネルをヒンジ要素の歯に対して付勢し、アームが従来型の形状と伸長形状との間で移動するとき、歯が付勢チャネル内に係合して、アームを第２回転軸周りの複数の位置の１つに保持し、複数の位置は、付勢チャネルと係合することができる付勢歯の数に依存することを特徴とする請求項９に記載の多用途眼鏡。
【請求項１１】
ヒンジ要素アーム係合部分は、カムを含むことを特徴とする請求項９に記載の多用途眼鏡。
【請求項１２】
アームは、カム係合ピンを付勢するアーム付勢ばねを受け入れるアーム付勢ばね受穴をさらに含み、アーム付勢ばねは、アームが第１回転軸周りに回転するとき、アームが折り畳み形状と伸長形状との間でカム付勢運動を有するように、カム係合ピンをカムに対して付勢することを特徴とする請求項１１に記載の多用途眼鏡。
【請求項１３】
２つのレンズを保持するフレームと、
フレームに対して下向きに回転するアームとを含むことを特徴とする多用途眼鏡。
【請求項１４】
アームは、アームが付勢機構に対して下向きに回転するとき、複数の予め定める位置における所定の位置に保持可能であることを特徴とする請求項１３に記載の多用途眼鏡。
【請求項１５】
フレームをアームに結合するヒンジ要素をさらに含むことを特徴とする請求項１３に記載の多用途眼鏡。
【請求項１６】
ヒンジ要素は、フレームと係合するフレーム係合部分と、アームと係合するアーム係合部分とを含むことを特徴とする請求項１５に記載の多用途眼鏡。
【請求項１７】
フレームは、フレーム係合部分を受け入れるヒンジ受入スロットを含むことを特徴とする請求項１６に記載の多用途眼鏡。
【請求項１８】
アームは、アーム係合部分を受け入れるヒンジ受入チャネルを含むことを特徴とする請求項１７に記載の多用途眼鏡。
【請求項１９】
付勢機構は、ヒンジ要素と係合するばねおよびピンを含むことを特徴とする請求項１４に記載の多用途眼鏡。
【請求項２０】
各ピンは、ヒンジ要素上の歯と係合するチャネルを含むことを特徴とする請求項１９に記載の多用途眼鏡。
【発明の詳細な説明】
【背景技術】
【０００１】
従来型の眼鏡は、２つの位置、すなわち折りたたみ位置と伸長位置とを有する。図１および図２は、前者を示し、図３は後者を示している。折りたたみ位置は、眼鏡の運搬および保管のためにある。伸長位置では、眼鏡アームのイヤピースが装着者の耳の上と後ろにループし、眼鏡を装着者の顔に固定する。これは非常に便利であるので、そのデザインは、１７００年代初頭のエドワーズスカーレットとジェームスエイスクーとによるデザインから変更がほとんどなく、エドワーズスカーレットとジェームスエイスクーとが、それぞれ１７３０年、１７５２年に眼鏡のアームとその折りたたみ機能とを発明した。
【０００２】
従来型の眼鏡の利点は、レンズを目の前に保持するので、着用者の手が空いているというだけでなく、レンズを着用者の目の前の平面に保持し、ユーザが自分の目を動かして、レンズを通して同じ光学的利点を維持することも可能であるというところにある。
【０００３】
初期の眼鏡設計に伴う問題の１つは、人々は歳をとるにつれて、一層遠くが見えるようになり、したがって、近くおよび遠くを見る両方の能力を失う可能性があることである。 このような課題は、着用者を補助する適切なレンズを１つしか製造できなかった初期の眼鏡メーカーに課題をもたらした。広く知られているように、アメリカの有名な博学者ベンジャミンフランクリンは、１７００年代中頃から後半にかけて、彼の二焦点レンズの発明によってこの問題を解決した。
【０００４】
ほぼ同時期に、ジョージアダムスは、アームがなく、代わりに使用者が使用時に矯正レンズを目の前に置き、使用しない時には外すことが可能であるハンドルを備えたローネット（柄付き）眼鏡を発明した。これらのタイプの眼鏡は、劇場や仮面舞踏会で人気があった。
【０００５】
これらの発明のそれぞれ、すなわち、従来型の眼鏡、二焦点レンズ眼鏡、およびローネット眼鏡は、単眼鏡が対処しない特定の課題を共有している。従来型の眼鏡は適切に機能するが、ユーザの耳が利用可能でない状況において（染毛中、ヘアドライ中、手術中など）、人は見たり読んだりする能力を放棄したくない。二焦点レンズ（および今日の累進レンズ）は、遠近両方を見たい人の課題を解決するが、眼鏡越しに見たい人は、眼鏡を鼻先の方にスライドさせて、ステレオタイプに言われるところの「不賛成の先生」のポーズで、眼鏡越しに見なければならない。このように鼻先の方に眼鏡をかけると、眼鏡が脱落しやすくなる。最後に、ローネット眼鏡は、ヘアサロンではスタイリッシュで機能的であって、貴重な機能を備えているが、人々は特定の状況でしかこれを求めない。 
【０００６】
したがって、上記の課題の一部またはすべてを解決する、スタイリッシュでありながら機能的な眼鏡デザインが必要とされている。
【発明の概要】
【０００７】
多用途眼鏡は、２つのレンズを保持するフレームと、フレームから延びるアームとを含む。アームは、アームにほぼ垂直な第１回転軸と、第１回転軸に直交し、アームがフレームに対して下向きに回転可能であるようにする第２回転軸とを含む。
【図面の簡単な説明】
【０００８】
【図１】従来型の折り畳み位置にある多用途眼鏡の正面図を示す。
【図２】従来型の折りたたみ位置にある多用途眼鏡の上面図を示す。
【図３】従来型の伸長位置にある多用途眼鏡の側面図を示す。
【図４】従来型の伸長位置にある多用途眼鏡の平面図を示す。
【図５】ハイブリッド伸長位置にある多用途眼鏡の側面図を示す。
【図６】ローネットの伸長位置にある多用途眼鏡の斜視図を示す。
【図７】ローネットの伸長位置にある多用途眼鏡の正面図を示す。
【図８】ローネットの伸長位置にある多用途眼鏡の背面図を示す。
【図９】ローネットの伸長位置にある多用途眼鏡の側面図を示す。
【図１０】多用途眼鏡の側面分解図を示し、特定の取り付け要素が輪郭で示されている。
【図１１】多用途眼鏡の上面分解図を示し、特定の取り付け要素が輪郭で示されている。
【発明を実施するための形態】
【０００９】
図中の破線は、隠れた特徴または移動／調整可能な要素を示すことを意図しており、一部の要素は、詳細を示すために拡大または縮小して示されている場合がある。
【００１０】
本明細書に記載の多用途眼鏡１００は、従来型の折り畳み形状２００（図１および図２）、従来型の伸長形状３００（図３および図４）、ハイブリッド伸長形状（５００）、およびローネットの（または“サロン”の）伸長形状６００（図６〜図９）の間を移動する。ハイブリッド折り畳み形状およびローネット折り畳み形状も、アームを折りたたむことによって可能であり、これらの形状は、眼鏡を折り畳んで特定のスペースに収めようとするときに役立つ。
【００１１】
図３および図４において最もよく見られるように、アーム１４０は、アーム１４０にほぼ垂直な第１回転軸１４２と、第１回転軸１４２に直交し、アーム１４０をフレーム１１０に関して下向きに回転させることが可能である第２回転軸１５２とを有する。
【００１２】
いずれの図についても、いくつかの図では、特定の構成要素を他のものよりも明瞭に示してはいるものの、従来型の眼鏡１００の部品については容易に認識可能である。眼鏡フレーム１１０は、ノーズピース１３５を備えたブリッジ１３０によって分離されたレンズ１２０を保持する。眼鏡フレーム１１０は、多くのスタイルがあり得、示されているものは、単に例示目的のためであり、他のフレームスタイルへの適用の拡張に限定を加えるものではない。
【００１３】
アームまたはテンプル１４０は、眼鏡フレーム１１０をエンドピース１５０で取り付ける。アーム１４０は、着用者の耳の周りおよび後ろに巻き付く先端１４５を有してよい。
【００１４】
多用途眼鏡１００は、フレーム１１０をアーム１４０に接合するヒンジ要素１６０を含んでよく、図１０および図１１の分解図で最もよく理解することができる。ヒンジ要素１６０は、フレーム１１０と係合するフレーム係合部分１６２と、アーム１４０と係合するアーム係合部分１６４とを含んでよい。ヒンジ要素１６０は、フレーム係合部分１６２を受け入れるヒンジ受入スロット１５１を介してフレーム１１０と係合し、アーム係合部分１６４を受け入れるヒンジ受入チャネル１４１を介してアーム１４０と係合する。
【００１５】
フレーム１１０は、第２回転軸１５２を規定する（および眼鏡が従来型の位置とローネット位置との間で移動することを可能にする）フレームピボットねじ１５４を受け入れるフレームピボットねじ受穴１５３をさらに含んでよい。フレームピボットねじ１５４は、その末端でねじを切られて、フレーム１１０上のねじと係合してよく、または図示のように、雌ねじ付きナット１５４ａと係合してよい。
【００１６】
アーム１４０は、第１回転軸１４２を規定するアームピボットねじ１４４を受け入れるアームピボットねじ受穴１４３を含んでよい。アームピボットねじ１４４は、ナットと係合してよく、またはアームピボットねじ受穴１４３は、その端部に、雌ねじ１５９を有して、ねじ１４４と係合してよい。
【００１７】
これらの穴１５３，１４３は、分解図で最もよくわかるが、以下で論じられる付勢ピンと係合する棚１６５または１９６を含んでよい。
【００１８】
フレームピボットねじ１５４の係合経路をたどると、フレームピボットねじ１５４は、フレームピボットねじ受穴１５３の第１部分を通り、ヒンジ要素フレームピボットねじ受穴１６３を通り、フレームピボットねじ受穴１５３の第２部分または雌ねじ付きナット１５４ａに入る。
【００１９】
同様に、アームピボットねじ１４４の経路をたどると、アームピボットねじ１４４は、アームピボットねじ受穴１４３の第１部分を通り、ヒンジ要素アームピボットねじ受穴１６５を通り、アームピボットねじ受穴１４３の第２部分または別の雌ねじ付きナットに入る。
【００２０】
図５において仮想線で示された別個の、すなわち滑らかでない動きの、複数の予め定められたアーム位置１９９間の動きを支援するために、ヒンジ要素フレーム係合部分１６２は、歯１６２ａを含んでよく、フレーム１１０は、歯係合ピン１９２を付勢チャネル１９３で付勢するフレーム付勢ばね１９１を受け入れるフレーム付勢ばね受穴１８１を有してよい。フレーム付勢ばね１９１は、付勢チャネル１９３をヒンジ要素１６０の歯１６２ａに対して付勢し、歯１６２ａが付勢チャネル１９３内に係合して、アームを第２回転軸１５２周りの複数の位置１９９の１つに保持し、可聴「クリック」を提供し、したがって、ユーザは、フレーム１１０に対してアーム１４０を動かした、末端の従来型またはローネット形状からのクリック数がわかる。アーム１４０それぞれの両方のヒンジ要素１６０には、同じ数の歯と歯の間隔とがあり、これによって、フレーム１１０の各側のアーム１４０は、眼鏡が均等に着用されるように同じ角度に位置することが確保される。
【００２１】
この点において、眼鏡１００の１つの特徴が評価され得る。図５に示されるように、眼鏡１００は、ハイブリッド形状５００で着用されてよい。これは、着用者が、彼らが読んでいるものを、眼鏡１００越しに見るおよび／または下に見たい場合に起こり得る。さらに、着用者が眼鏡をかけている間に、アーム１４０に対してフレーム１１０を調整することが可能であり、すなわち、着用者の目に対するレンズ１２０の角度を調整するために眼鏡１００を取り外す必要がない。
【００２２】
眼鏡１００の詳細に戻ると、歯係合ピン１９２は、対応するピン本体よりもわずかに大きいヘッドを有してよく、このヘッドは、フレーム付勢ばね１９１を押し、フレーム１１０内のフレーム棚１９４によっても停止される。
【００２３】
従来型のアームおよびフレームの係合感触のために、ヒンジ要素アーム係合部分１６４は、カム１６４ａを含んでよく、アームは、アームが第１回転軸１４２周りに回転するとき、アーム１４０が折り畳み形状２００と伸長形状３００との間でカム付勢運動を有するように、カム係合ピン１８７をカム１６４ａに対して付勢するアーム付勢ばね１８６を受け入れるアーム付勢ばね受穴１８５を有してよい。このようなアーム１４０の運動は、ほとんどの眼鏡着用者によく知られているであろう。
【００２４】
図は単一のスタイルの眼鏡を示しているが、金属フレーム、異なる形状のフレーム、および他の材料の選択が可能であることは明らかである。さらに、このデザインはサングラスに特別な利点があり、このデザインのサングラスでは、ユーザが、暗いスペースで、携帯電話を読んだり、何かを見たりするために、サングラスを装着したままで、ハイブリッド形状のフレームを下げることが可能である。
【００２５】
本発明を上記の実施形態を参照して説明してきたが、当業者は、特許請求の範囲から逸脱することなく、様々な変更または修正を加えることが可能であることを理解するであろう。
【図１】
2021520522.tif 000003
【図２】
2021520522.tif 000004
【図３】
2021520522.tif 000005
【図４】
2021520522.tif 000006
【図５】
2021520522.tif 000007
【図６】
2021520522.tif 000008
【図７】
2021520522.tif 000009
【図８】
2021520522.tif 000010
【図９】
2021520522.tif 000011
【図１０】
2021520522.tif 000012
【図１１】
2021520522.tif 000013
【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
２つのレンズを保持するフレームと、
フレームから延びるアームであって、各アームが、各アームの複数の位置におけるユーザによる着用のために、各アームに対してほぼ垂直な第１回転軸と、第１回転軸に直交し、各アームがフレームに対して下向きに回転可能であるようにする第２回転軸とを有する、アームと、
フレームをアームに結合するヒンジ要素とを含み、
ヒンジ要素は、フレームと係合するフレーム係合部分と、アームと係合するアーム係合部分とを含み、
ヒンジ要素のフレーム係合部分は、歯を含み、
フレームは、歯係合ピンを付勢するフレーム付勢ばねを受け入れるフレーム付勢ばね受穴をさらに含み、フレーム付勢ばねは、歯係合ピン上の付勢ヘッドをヒンジ要素の歯に対して付勢し、歯が、アームが従来型の形状と伸長形状との間で移動するとき、アームが第２回転軸周りに複数の位置を経て回転するときに、歯の間のヘッド係合ギャップとして可聴クリックを提供する付勢ヘッド内で係合することを特徴とする多用途眼鏡。
【請求項２】
フレームは、ヒンジ要素のフレーム係合部分を受け入れるヒンジ受入スロットを含むことを特徴とする請求項１に記載の多用途眼鏡。
【請求項３】
アームは、ヒンジ要素のアーム係合部分を受け入れるヒンジ受入チャネルを含むことを特徴とする請求項２に記載の多用途眼鏡。
【請求項４】
フレームは、アームの第２回転軸を規定するフレームピボットねじを受け入れるフレームピボットねじ受穴をさらに含み、アームは、アームの第１回転軸を規定するアームピボットねじを受け入れるアームピボットねじ受穴をさらに含むことを特徴とする請求項３に記載の多用途眼鏡。
【請求項５】
フレームピボットねじは、ナット受入チャネル内に延びる雌ねじ付きナットに受け入れられることを特徴とする請求項４に記載の多用途眼鏡。
【請求項６】
ヒンジ要素は、フレームピボットねじを受け入れるフレームピボットねじ受穴を含み、アームピボットねじを受け入れるアームピボットねじ受穴をさらに含むことを特徴とする請求項４に記載の多用途眼鏡。
【請求項７】
ヒンジ要素アーム係合部分は、カムを含むことを特徴とする請求項１に記載の多用途眼鏡。
【請求項８】
アームは、カム係合ピンを付勢するアーム付勢ばねを受け入れるアーム付勢ばね受穴をさらに含み、アーム付勢ばねは、アームが第１回転軸周りに回転するとき、アームが折り畳み形状と伸長形状との間でカム付勢運動を有するように、カム係合ピンをカムに対して付勢することを特徴とする請求項７に記載の多用途眼鏡。
【請求項９】
２つのレンズを保持するフレームと、
アームであって、アームの複数の位置におけるユーザによる着用のためにフレームに対して下向きに回転するアームと、
フレームをアームに結合するヒンジ要素とを含み、
ヒンジ要素は、フレームと係合するフレーム係合部分と、アームと係合するアーム係合部分とを含み、
ヒンジ要素のフレーム係合部分は、歯を含み、
フレームは、歯係合ピンを付勢するフレーム付勢ばねを受け入れるフレーム付勢ばね受穴をさらに含み、フレーム付勢ばねは、歯係合ピン上の付勢ヘッドをヒンジ要素の歯に対して付勢し、歯が、アームが従来型の形状と伸長形状との間で移動するとき、アームが第２回転軸周りに複数の位置を経て回転するときに、歯の間のヘッド係合ギャップとして可聴クリックを提供する付勢ヘッド内で係合することを特徴とする多用途眼鏡。
【請求項１０】
アームは、アームが回転するとき、複数の予め定める位置における所定の位置に保持可能であることを特徴とする請求項９に記載の多用途眼鏡。
【請求項１１】
フレームは、フレーム係合部分を受け入れるヒンジ受入スロットを含むことを特徴とする請求項９に記載の多用途眼鏡。
【請求項１２】
アームは、アーム係合部分を受け入れるヒンジ受入ヘッドを含むことを特徴とする請求項１１に記載の多用途眼鏡。
【国際調査報告】
2021520522.tif 000014